(57)【特許請求の範囲】
【請求項１】
遊技盤の遊技領域に遊技役物を配置した弾球遊技機において、
前記遊技盤の裏側に装着された裏構造体を備え、
前記遊技役物は前記裏構造体に装着された役物本体と、前記遊技盤の前側に配置され且つ前記役物本体に着脱自在に装着された前飾り体とを備えた
ことを特徴とする弾球遊技機。
【請求項２】
前記遊技役物は入賞手段を含み、
該入賞手段は前記裏構造体に装着され且つ入賞した遊技球を検出する検出スイッチを有する入賞手段本体と、前記遊技盤の前側から前記入賞手段本体に着脱自在に装着された前記前飾り体とを備えた
ことを特徴とする請求項１に記載の弾球遊技機。
【請求項３】
前記入賞手段本体は入賞口と、該入賞口を開閉する開閉手段と、該開閉手段を駆動する駆動手段とを備えた
ことを特徴とする請求項２に記載の弾球遊技機。
【請求項４】
前記遊技役物は画像表示手段を含み、
該画像表示手段は前記裏構造体に装着された画像表示部と、前記遊技盤の前側に配置された前記前飾り体とを備えた
ことを特徴とする請求項１〜３の何れかに記載の弾球遊技機。
【請求項５】
前記前飾り体を前記遊技盤に位置決めする位置決め手段を備えた
ことを特徴とする請求項１〜４の何れかに記載の弾球遊技機。
【請求項６】
前記入賞手段本体と前記前飾り体とを位置決めする位置決め手段を備えた
ことを特徴とする請求項２又は３に記載の弾球遊技機。
【発明の詳細な説明】
【技術分野】
【０００１】
本発明は、パチンコ機、アレンジボール機等の弾球遊技機に関するものである。
【背景技術】
【０００２】
パチンコ機等の弾球遊技機において、その遊技盤にアクリル板等の透明板を採用した透明型のものがある。この種のパチンコ機には、アクリル板等の遊技盤に普通入賞手段、特別図柄始動手段、可変入賞手段等の各種の入賞手段が設けられ、遊技盤の裏側に装着された裏構造体に、画像表示手段の演出画像を表示する画像表示部、画像表示部の一側に配置された可動演出手段等が設けられ、また裏構造体の裏面側に主制御基板を含む各種の制御基板が装着されたものがある（特許文献１）。
【０００３】
そして、遊技に際しては、特別図柄始動手段が遊技球を検出することを条件に、特別図柄表示手段の特別図柄が所定時間変動し、その変動後の特別図柄が特定の大当たり態様を停止表示したときに、特別利益状態が発生して可変入賞手段が複数回開閉動作を繰り返す等、可変入賞手段に多数の遊技球が入賞し易くなり、また特別図柄始動手段、可変入賞手段、普通入賞手段に遊技球が入賞すれば、その入賞手段に応じて所定数の遊技球を払い出すようにしている。
【先行技術文献】
【特許文献】
【０００４】
【特許文献１】特開２００９−８９７６１号公報
【発明の概要】
【発明が解決しようとする課題】
【０００５】
従来のパチンコ機では、遊技盤に各種の入賞手段を個々に装着ているため、遊技盤の負担が大になるという問題がある。
【０００６】
本発明は、このような従来の問題点に鑑み、遊技盤側の負担を軽減できる弾球遊技機を提供することを目的とする。
【課題を解決するための手段】
【０００７】
本発明は、遊技盤の遊技領域に遊技役物を配置した弾球遊技機において、前記遊技盤の裏側に装着された裏構造体を備え、前記遊技役物は前記裏構造体に装着された役物本体と、前記遊技盤の前側に配置され且つ前記役物本体に着脱自在に装着された前飾り体とを備えたものである。
【０００８】
前記遊技役物は入賞手段を含み、該入賞手段は前記裏構造体に装着され且つ入賞した遊技球を検出する検出スイッチを有する入賞手段本体と、前記遊技盤の前側から前記入賞手段本体に着脱自在に装着された前記前飾り体とを備えることもある。
【０００９】
前記入賞手段本体は入賞口と、該入賞口を開閉する開閉手段と、該開閉手段を駆動する駆動手段とを備えたものでもよい。前記遊技役物は画像表示手段を含み、該画像表示手段は前記裏構造体に装着された画像表示部と、前記遊技盤の前側に配置された前記前飾り体とを備えることもある。
【００１０】
前記前飾り体を前記遊技盤に位置決めする位置決め手段を備えたものでもい。前記入賞手段本体と前記前飾り体とを位置決めする位置決め手段を備えたものでもよい。
【発明の効果】
【００１１】
本発明によれば、遊技盤側の負担を軽減できる利点がある。
【図面の簡単な説明】
【００１２】
【図１】本発明の第１の実施形態を例示するパチンコ機の正面図である。
【図２】同パチンコ機上部の縦断面図である。
【図３】同画像表示手段の要部の拡大断面図である。
【図４】同裏構造体の正面図である。
【図５】同複合入賞手段の一部破断正面図である。
【図６】同複合入賞手段の斜視図である。
【図７】同複合入賞手段の断面正面図である。
【図８】同複合入賞手段と遊技盤との分解斜視図である。
【図９】同複合入賞手段と遊技盤との分解断面図である。
【図１０】同遊技盤の複合入賞手段部分の縦断面図である。
【図１１】同遊技盤の複合入賞手段部分の横断面図である。
【図１２】同遊技盤の複合入賞手段部分の横断面図である。
【図１３】同裏ケースを外した状態の背面図である。
【図１４】同複合入賞手段の前枠部分の分解斜視図である。
【図１５】同複合入賞手段の前飾り体部分の分解斜視図である。
【図１６】本発明の第２の実施形態を例示するパチンコ機の正面図である。
【図１７】同開閉入賞手段部分の正面図である。
【図１８】同開閉入賞手段部分の平面断面図である。
【図１９】本発明の第３の実施形態を例示する開閉入賞手段部分の正面図である。
【図２０】同複合入賞手段の分解斜視図である。
【図２１】本発明の第４の実施形態を例示するパチンコ機上部の縦断面図である。
【図２２】同遊技盤側の正面図である。
【発明を実施するための形態】
【００１３】
以下、本発明の各実施形態を図面に基づいて詳述する。図１〜図１５は本発明をパチンコ機に採用した第１の実施形態を例示する。パチンコ機１は、図１に示すように、矩形状の外枠２と、この外枠２の前側にヒンジ３により縦軸廻りに開閉自在に枢着された前枠４とを備えている。前枠４の前側にはガラス扉５と前面板６とが上下に配置され、前枠４に対してヒンジ３と同じ側のヒンジ７により縦軸廻りに開閉自在に枢支されている。
【００１４】
ガラス扉５は窓孔８を有する扉枠９と、扉枠９の裏側に着脱自在に装着され且つ窓孔８を塞ぐガラス板（図示省略）とを備え、窓孔８のガラス板を介して遊技盤１１側を透視可能になっている。前面板６の前側には、発射用の遊技球を貯留する球供給皿１２と、球供給皿１２から供給される遊技球を発射する発射手段（図示省略）の発射ハンドル１３が設けられている。球供給皿１２は前面板６に装着され、前側から皿カバー１４により覆われている。皿カバー１４の前中央部にはチャンスボタン１５が配置されている。
【００１５】
前枠４は、図２に示すように、ガラス扉５の裏側に対応して矩形枠状に形成された遊技盤装着部４ａを備え、この遊技盤装着部４ａに遊技盤１１が前側から着脱自在に嵌め込んで装着されている。遊技盤１１はアクリル板等の透明板により略矩形状に構成されており、裏側外周部に枠状の補強部材１６が積層して固定されている。遊技盤１１と補強部材１６との積層厚さが前枠４の遊技盤装着部４ａの装着寸法と略一致しており、遊技盤１１は遊技盤装着部４ａ内でその積層部分に対応するロック具により着脱自在にロックされている。
【００１６】
遊技盤１１の裏側には裏構造体１７が着脱自在に装着されている。裏構造体１７は図２、図３に示すように各遊技役物の取り付け用であって、周方向に複数個の取り付け部１８で補強部材１６の裏側に位置決めしてネジ等により着脱自在に固定されている。なお、裏構造体１７は遊技盤１１の裏面に直接取り付けても良い。
【００１７】
遊技盤１１の前面には、図１に示すように、発射手段から発射された遊技球を案内するガイドレール１９が略円弧状に配置されると共に、そのガイドレール１９の内側の遊技領域２０に画像表示手段２２、普通図柄始動手段２３、複合入賞手段２４、普通入賞手段２５等の各種の遊技役物が配置され、最下部にアウト球を裏側へと案内するアウト口２６が設けられている。
【００１８】
また遊技盤１１には遊技領域２０を取り囲むようにガイドレール１９の外側に装飾部材２７が装着され、その装飾部材２７の適当箇所に普通図柄表示手段２８、特別図柄表示手段２９が適宜装着されている。なお、遊技領域２０、普通図柄表示手段２８、特別図柄表示手段２９はガラス扉５の窓孔８内に対応している。
【００１９】
画像表示手段２２は遊技領域２０の左右方向の略中央の上部に配置され、この画像表示手段２２の下側に複合入賞手段２４が配置されている。普通図柄始動手段２３は画像表示手段２２とガイドレール１９との間に配置されている。普通入賞手段２５は１個又は複数個の入賞口を一組として備え、複合入賞手段２４の左右両側に設けられている。
【００２０】
複合入賞手段２４は、図２、図５〜図８に示すように、入賞口３１，３２を有する特別図柄始動手段３３と、入賞口３４を有する可変入賞手段（開閉入賞手段）３５とが上下に隣接して配置されたものである。特別図柄始動手段３３は上下に隣接して配置された非開閉入賞手段３６と開閉入賞手段３７とを有する。非開閉入賞手段３６は遊技盤１１の前面で上向きに開口する非開閉型の第１入賞口３１を有し、開閉入賞手段３７は遊技盤１１の前面で前向きに開口する開閉型の第２入賞口３２を有する。また可変入賞手段３５は遊技盤１１の前面で前向きに開口する横長矩形状の第３入賞口３４を有する。
【００２１】
画像表示手段２２は、図２に示すように、裏構造体１７の窓孔１７ａに対応して装着部１７ｂに裏側から着脱自在に装着された表示手段本体（役物本体）３８と、遊技盤１１の前面側に配置され且つ結合手段４１により裏構造体１７に前側から着脱自在に装着された前飾り体３９とを備えている。表示手段本体３８は液晶式等の画像表示部４０と、この画像表示部４０を支持する支持枠（図示省略）とを有する。前飾り体３９は光透過性を有し、遊技盤１１の前面側に配置された前飾り部３９ａと、この前飾り部３９ａの内周側から画像表示部４０の外周側に延びる表示窓用の周壁部３９ｂとを備えている。
【００２２】
結合手段４１は、図３、図４に示すように、裏構造体１７の各取り付け部１８から前側に突出する周方向に複数本のボス等の取り付け部４１ａと、前飾り部３９ａに前側から挿通され且つ取り付け部４１ａに着脱自在に螺合されたネジ４１ｂとを有する。この結合手段４１は前飾り体３９を裏構造体１７に前側から結合できるものであれば良い。
【００２３】
周壁部３９ｂは遊技盤１１の開口４２内に配置されている。周壁部３９ｂには画像表示部４０の下部側にステージ４３が設けられている。ステージ４３は前飾り体３９のワープ口（図示省略）からの遊技球を左右方向に遊動させながら遊技盤１１の前側に落下させるためのものである。画像表示手段２２の前飾り体３９には電気部品が装着されておらず、電気部品である画像表示部４０は表示手段本体３８に設けられている。
【００２４】
なお、前飾り体３９は裏構造体１７に前側から装着されているが、画像表示部４０を支持する支持枠に対して前側から着脱自在に装着するようにしても良い。また前飾り体３９と遊技盤１１との間には、図３に示すように、前飾り部３９ａから裏側に突出する位置決め突起等の位置決め手段４４が設けられ、この位置決め手段４４により前飾り体３９が遊技盤１１に位置決めされている。
【００２５】
裏構造体１７の前側には、図１、図２、図４に示すように、発光演出手段４５と第１・第２可動演出手段４６，４７とが設けられている。発光演出手段４５は発光基板４５ａの前面に装着された多数の発光素子４５ｂを備え、遊技盤１１の遊技領域２０の内、画像表示手段２２、複合入賞手段２４等以外の部分の裏側に対応して配置されている。この発光演出手段４５は所定の遊技状態となったときに、発光素子４５ｂが発光して遊技領域２０を裏側から発光させて所定の演出を行う。発光基板４５ａは裏構造体１７の取り付け部４５ｃにネジ等により装着されている。なお、遊技盤１１の裏面には、非発光状態の発光演出手段４５を透視し難くなるように絵柄が付された装飾シート（図示省略）が貼着されている。
【００２６】
第１・第２可動演出手段４６，４７は、図２、図４に示すように、前飾り体３９及び発光演出手段４５と画像表示部４０との間で画像表示部４０の上下両側に配置されている。第１可動演出手段４６は円弧状の第１可動体４６ａと、この第１可動体４６ａを出退駆動する第１演出駆動手段４６ｂとを備え、画像表示部４０の上側で裏構造体１７の取り付け部４６ｃにネジ等により装着されている。第１可動体４６ａは前飾り体３９及び発光演出手段４５の裏側に退避する退避位置（図１の点線位置）と、画像表示部４０の前側に突出する演出位置（図１の二点鎖線位置）との間で前後軸廻りに出退自在である。
【００２７】
第２可動演出手段４７は大砲等を模した第２可動体４７ａと、この第２可動体４７ａを出退駆動する第２演出駆動手段４７ｂとを左右に備え、画像表示部４０の下側で裏構造体１７の取り付け部４７ｃにネジ等により装着されている。第２可動体４７ａは前飾り体３９の下部裏側に退避する退避位置（図１の点線位置）と、画像表示部４０の前側で上向きに突出する演出位置（図１の二点鎖線位置）との間で前後軸廻りに出退自在である。なお、第１・第２可動演出手段４６，４７は所定の遊技状態となったときに、第１・第２可体４６ａ，４７ａが前後軸廻りに演出位置へと回動して所定の可動演出を行う。
【００２８】
普通図柄表示手段２８は普通図柄を変動表示するためのもので、複数種類の普通図柄（例えば二種類の「○」「×」）に対応する複数の発光素子により構成されている。この普通図柄表示手段２８は普通図柄始動手段２３が遊技球を検出することを条件に２個の発光素子が交互に点灯するように所定時間点滅して、普通図柄始動手段２３の遊技球の検出時に抽選した乱数値が予め定められた当たり判定値と一致した場合に当たり態様の「○」側の発光素子が点灯し、それ以外の場合に外れ態様の「×」側の発光素子が点灯して停止する。なお、変動後の普通図柄は１／１０程度の所定の確率で当たり態様となる。
【００２９】
特別図柄表示手段２９は発光部位の変化等で特別図柄を変動表示可能なセグメント式等により構成されており、特別図柄始動手段３３が遊技球を検出することを条件に、特別図柄が所定時間変動して、特別図柄始動手段３３の遊技球の検出時に抽選された乱数値が予め定められた大当たり判定値と一致した場合に所定の大当たり態様で、それ以外の場合に外れ態様で停止するようになっている。
【００３０】
特別図柄始動手段３３は、図５〜図８に示すように、第２入賞口３２の入賞領域を変化させるための左右一対の開閉翼（開閉手段）５０をその左右両側に有し、普通図柄表示手段２８の変動後の停止図柄が当たり態様となったときに、開閉翼５０が所定時間（短時間）開放するようになっている。
【００３１】
可変入賞手段３５は、図５〜図８に示すように、第３入賞口３４の入賞領域を変化させるための開閉扉（開閉手段）５１を有し、特別図柄表示手段２９の変動後の特別図柄が大当たり態様となって特別遊技状態が発生したときに開閉扉５１が前側に開放して、上方から落下する遊技球を開閉扉５１を経て第３入賞口３４へと入賞させるようになっている。
【００３２】
なお、特別遊技状態中は開閉扉５１の開放から所定時間（例えば３０秒程度）が経過するか、その間に所定数（例えば１０個）の遊技球が入賞したときに開閉扉５１を閉じる動作を１ラウンドとし、この動作を所定回数（例えば１６ラウンド）継続するようになっている。
【００３３】
画像表示部４０は、図１に示すように、特別図柄表示手段２９の特別図柄に対応する演出図柄５２ａ〜５２ｃの変動表示、チャンスボタン１５の操作指示画像５３を表示する操作指示等、遊技の進行に従って適宜タイミングで各種の演出画像を随時表示するものである。即ち、特別図柄表示手段２９の特別図柄の変動に際して、その特別図柄の変動に同期して１個又は複数個、例えば３個の演出図柄５２ａ〜５２ｃが画像表示部４０に変動表示される。このとき演出図柄５２ａ〜５２ｃは特別図柄始動手段３３の遊技球の検出を条件に、抽選により決定された所定の演出図柄変動パターンを経て所定時間変動した後、特別図柄の変動終了に同期して所定の順序（例えば左、右、中等の順序）で順次停止する。
【００３４】
演出図柄５２ａ〜５２ｃの変動後の停止図柄は、特別図柄が大当たり態様で停止する場合には全てが揃う大当たり演出態様となり、特別図柄が外れ態様で停止する場合には少なくとも一部が異なる外れ演出態様となる。例えば、演出図柄５２ａ〜５２ｃには０〜９までの数字図柄が使用されており、特別図柄が大当たり態様で停止する場合に演出図柄５２ａ〜５２ｃは「７・７・７」等の大当たり演出態様で停止し、特別図柄が外れ態様で停止する場合に演出図柄５２ａ〜５２ｃは「２・４・５」等の外れ演出態様で停止する。
【００３５】
チャンスボタン１５の操作指示に際しては、変動後の特別図柄が大当たり態様となる信頼度の高い演出図柄変動パターンを抽選したとき等、遊技者に対して期待感を抱かせる所定の遊技状態、例えば１個の演出図柄５２ｂを除く２個の演出図柄５２ａ，５２ｃが同じとなるリーチとなった場合に、画像表示部４０の所定箇所に発光演出手段４５の操作を指示する操作指示画像５３が表示される。
【００３６】
そして、例えば特別図柄始動手段３３が遊技球を検出したときに大当たりを抽選しており、変動後の特別図柄が大当たり態様となった後に特別遊技状態が発生する場合には、その操作指示画像５３に従って図柄変動中に適宜タイミングでチャンスボタン１５を押圧操作すれば、チャンスボタン１５が発光状態又は点滅発光状態となって、その後の大当たり態様での特別図柄の停止、及びこれに続く特別遊技状態の発生を予告する。
【００３７】
複合入賞手段２４は特別図柄始動手段３３と可変入賞手段３５とを複合化したものであって、図２、図５〜図１３に示すように構成されている。即ち、この複合入賞手段２４は、裏構造体１７に装着され且つ前部側が遊技盤１１の開口５５に裏側から装入された入賞手段本体（役物本体）５６と、遊技盤１１の前側に当接して配置され且つ入賞手段本体５６に着脱自在に装着された前飾り体５７とを備えている。
【００３８】
入賞手段本体５６は、図２、図９に示すように、裏構造体１７の装着部１７ｃの前側に装着された裏ケース５９を備え、この裏ケース５９内に特別図柄始動手段３３及び可変入賞手段３５の後部機構５８が収容され、また前飾り体５７と裏ケース５９との間には、特別図柄始動手段３３及び可変入賞手段３５の中間機構６０が遊技盤１１の開口５５内に配置されている。
【００３９】
非開閉入賞手段３６、開閉入賞手段３７は、図５〜図１３に示すように、第１・第２入賞口３１，３２と、第２入賞口３２を開閉する開閉翼５０と、第１・第２入賞口３１，３２からの遊技球を後方へと案内する第１・第２案内通路６１，６２と、第１・第２案内通路６１，６２からの遊技球を遊技盤１１の裏側で下側へと案内する第１・第２球経路６３，６４と、第１・第２球経路６３，６４からの遊技球を下方へと落下させる第１落下口６５と、開閉翼５０を開閉駆動する第１開閉駆動手段６６と、第１・第２入賞口３１，３２に入賞した遊技球を検出する第１・第２検出スイッチ６７，６８とを備えている。
【００４０】
なお、非開閉入賞手段３６は第１入賞口３１、第１案内通路６１、第１球経路６３、第１落下口６５、第１検出スイッチ６７等により構成され、開閉入賞手段３７は第２入賞口３２、開閉翼５０、第２案内通路６２、第２球経路６４、第１落下口６５、第１開閉駆動手段６６、第２検出スイッチ６８等により構成されている。
【００４１】
可変入賞手段３５は、図５〜図１３に示すように、第３入賞口３４と、この第３入賞口３４を開閉する開閉扉５１と、第３入賞口３４に連通する入賞室６９と、入賞室６９からの遊技球をアウト口２６へと落下させる第２落下口７０と、開閉扉５１を開閉駆動する第２開閉駆動手段７１と、第３入賞口３４に入賞した遊技球を検出する第３検出スイッチ７２とを備えている。  
【００４２】
なお、後部機構５８は第１・第２球経路６３，６４、第１・第２検出スイッチ６７，６８、第１・第２開閉駆動手段６６，７１等により構成され、中間機構６０は第１・第２案内通路６１，６２、入賞室６９、第３検出スイッチ７２等により構成されている。第１・第２球経路６３，６４、第１・第２開閉駆動手段６６，７１、第１・第２検出スイッチ６７，６８は裏ケース５９内に設けられ、また入賞室６９、第３検出スイッチ７２は裏ケース５９の前面に設けられている。
【００４３】
第２・第３入賞口３２，３４は口枠体７３に設けられ、また口枠体７３には第２入賞口３２の開閉翼５０と第３入賞口３４の開閉扉５１とが設けられている。口枠体７３は裏ケース５９の前面に結合手段５４により裏側から着脱自在に結合され、裏ケース５９と共に複数種類のパチンコ機に共通な汎用部品である裏側ユニットを構成している。前飾り体５７はパチンコ機１の機種毎の専用部品を構成するもので、遊技盤１１の前面側に当接してネジ等の結合手段７４により裏ケース５９に前側から着脱自在に結合されている。
【００４４】
結合手段５４は、図１２に示すように、口枠体７３から後方に突出する筒状の間隔保持兼用の取り付け部５４ａと裏ケース５９に裏側から挿通され且つ取り付け部５４ａに螺合するネジ５４ｂとを有する。
【００４５】
結合手段７４は、図９、図１１、図１５に示すように、前飾り体５７から後方に突出する筒状の間隔保持突起７４ａと、この間隔保持突起７４ａに対応して裏ケース５６に設けられた位置決め凹部７４ｂ及び取り付け部７４ｃと、間隔保持突起７４ａに挿通され且つ取り付け部７４ｃに螺合するネジ７４ｄとを有する。この結合手段７４は前飾り体５７を裏構造体１７に位置決めする位置決め手段を兼用する。前飾り体５７は位置決め突起等の位置決め手段（図示省略）により遊技盤１１に対して所定位置に位置決めされている。
【００４６】
前飾り体５７は、図１５に示すように、特別図柄始動手段３３の前周辺を飾る板状の第１前飾り部７６と、可変入賞手段３５の第３入賞口３４の前周辺を飾る板状の第２前飾り部７７とを上下に一体に備えている。第１前飾り部７６には開閉入賞手段３７の前側に対応する第１開口部７６ａと、第２前飾り部７７には可変入賞手段３５の前側に対応する第２開口部７７ａとが上下に連通して形成されている。前飾り体５７の上端部には非開閉入賞手段３６の第１入賞口３１と第１案内通路６１とが第１前飾り部７６の前後に突出して一体に形成されている。なお、結合手段７４は前飾り体５７の第１・第２前飾り部７６，７７の外周部分に複数個設けられている。
【００４７】
口枠体７３は、図１４に示すように、遊技盤１１の前面で第１・第２入賞口３１，３２の後部側外周を飾る上側の第１飾り部７９と、遊技盤１１の前面で第３入賞口３４の外周を飾る下側の第２飾り部８０とを上下に一体に備えている。第１飾り部７９は前飾り体５７の第１前飾り部７６の第１開口部７６ａに、第２飾り部８０は前飾り体５７の第２前飾り部７７の第２開口部７７ａに夫々前後方向に嵌脱自在であり、その前面が前飾り体５７の前面と略面一状になっている。
【００４８】
第１飾り部７９には、図１４に示すように、第２入賞口３２用の球受け部８１と、この球受け部８１の裏側に連通する第２案内通路６２とが前後両側に突出して一体に設けられ、その球受け部８１の前面に、球受け部８１の前側を塞ぐ左右方向の前壁部８１ａが左右一対のネジ８１ｂにより着脱自在に固定されている。球受け部８１、第２案内通路６２はＵ字状、その他の樋状に構成されている。
【００４９】
第２入賞口３２の左右両側の開閉翼５０は、前後両端部が第１前飾り部７６と前壁部８１ａとにより回動自在に支持された前後方向の枢軸８２により開閉自在に枢支され、開状態のときに上方からの遊技球を第２入賞口３２へと案内するようになっている。開閉翼５０は、図７に二点鎖線で示すように、閉状態にしたときに第１飾り部７９の外周よりも内側に収まる大きさであり、組み立て・分解時には開閉翼５０を閉状態にすることにより、前飾り体５７の第１開口部７６ａを前後に通過可能である。
【００５０】
第２入賞口３２は第３入賞口３４の上側で前飾り体５７の前面に装着された前カバー８３により覆われている。前カバー８３は第２入賞口３２の下側から左右両側、前側を覆う形状になっており、前飾り体５７に裏側から挿通されたネジ８３ａにより着脱自在に固定されている。
【００５１】
第２飾り部８０には、図１４に示すように、第３入賞口３４が横長矩形状に形成されると共に、この第３入賞口３４を開閉する開閉扉５１がその下部の左右両側の横方向の枢軸８５により開閉自在に枢支されている。開閉扉５１は前側に開放したときに前飾り体５７の第２開口部７７ａから遊技盤１１の前側に突出して、前側、上方からの遊技球を受けて第３入賞口３４へと案内するようになっている。
【００５２】
裏ケース５９は、図８に示すように、前後に偏平な背面視略矩形状の箱型であって、前後方向に着脱自在に結合された前ケース体８７と裏ケース体８８とを備え、その前ケース体８７に結合手段５４により口枠体７３が着脱自在に結合されている。
【００５３】
第１・第２球経路６３，６４、第１落下口６５、第１・第２検出スイッチ６７，６８、第１・第２開閉駆動手段６６，７１は、裏ケース５９の内部、即ち前ケース体８７の裏側に設けられている。また入賞室６９、第２落下口７０、第３検出スイッチ７２は、裏ケース５９の前側、即ち前ケース体８７の前側で前ケース体８７と口枠体７３との間に設けられている。従って、複合入賞手段２４の前飾り体５７には電気部品が設けられておらず、検出スイッチ６７，６８，７２、開閉駆動手段６６，７１等の電気部品の全ては入賞手段本体５６に設けられている。
【００５４】
第１・第２開閉駆動手段６６，７１は、図１３に示すように、下向きに突出するプランジャー９１ａ，９２ａを備えた第１・第２ソレノイド９１，９２により構成されており、その第１・第２ソレノイド９１，９２は左右方向の略中央の第２球経路６４に対して第１球経路６３とは反対側に配置されている。第１・第２ソレノイド９１，９２は前ケース体８７の裏面の位置決め部９１ｂ，９２ｂにより位置決めされ、且つ両ケース体８７，８８により前後両側から挟持されて固定されている。
【００５５】
特別図柄始動手段３３側の第１ソレノイド９１と開閉翼５０は、第１連動体９３、第１連動機構９４を介して連動しており、第１ソレノイド９１が励磁したきにプランジャー９１ａが上昇して開閉翼５０が第２入賞口３２を開放し、第１ソレノイド９１が消磁したときに戻しバネによりプランジャー９１ａが下降して開閉翼５０が第２入賞口３２を閉じるようになっている。可変入賞手段３５の第２ソレノイド９２と開閉扉５１も第２連動体９０、第２連動機構９６を介して連動しており、第２ソレノイド９２が励磁したきにプランジャー９２ａが上昇して開閉扉５１が第３入賞口３４を開放し、第２ソレノイド９２が消磁したときに戻しバネによりプランジャー９２ａが下降して開閉扉５１が第３入賞口３４を閉じるようになっている。
【００５６】
このパチンコ機１では、普通図柄始動手段２３が遊技球を検出すると、普通図柄表示手段２８の普通図柄が所定時間変動する。そして、変動後の普通図柄が当たり態様で停止すると、特別図柄始動手段３３の開閉翼５０が所定条件で開閉し、その開放時に第２入賞口３２に遊技球が入賞し易くなる。
【００５７】
また特別図柄始動手段３３の第１・第２入賞口３１，３２に遊技球が入賞し、その遊技球を第１・第２検出スイッチ６７，６８が検出すると、特別図柄表示手段２９の特別図柄が変動すると共に、特別図柄の変動に同期して画像表示部４０の演出図柄５２ａ〜５２ｃが変動する。そして、変動後の特別図柄が大当たり態様で停止すると、可変入賞手段３５の開閉扉５１が所定条件で開閉し、上方から落下する多数の遊技球が開閉扉５１を経て第３入賞口３４へと入賞し易くなる。普通入賞手段２５、特別図柄始動手段３３の第１・第２入賞口３１，３２、可変入賞手段３５の第３入賞口３４等に遊技球が入賞すると、その１入賞毎に規定数の遊技球が賞球として払い出される。なお、賞球数は入賞手段２４，２５に応じて異なっており、例えば第３入賞口３４に入賞したときの賞球数が最も多くなっている。
【００５８】
特別図柄始動手段３３の第１・第２入賞口３１，３２に入賞した遊技球は第１・第２案内通路６１，６２を経て裏ケース５９内の第１・第２球経路６３，６４へと入り、この第１・第２球経路６３，６４を経て裏ケース５９内を下方へと移動した後、裏ケース５９の下端の第１落下口６５から遊技盤１１の裏側に落下する。そして、第１・第２球経路６３，６４を通過中の遊技球を第１・第２検出スイッチ６７，６８が検出し、その検出信号により大当たり抽選処理、特別図柄の変動処理、賞球の払い出し処理等の所定の制御が行われる。
【００５９】
可変入賞手段３５の第３入賞口３４に入賞した遊技球は、入賞室６９を経て第２落下口７０へと案内され、この第２落下口７０から下方へと落下した後、遊技盤１１に形成されたアウト口２６を経て遊技盤１１の裏側へと案内される。そして、第２落下口７０から落下する遊技球を第３検出スイッチ７２が検出し、その検出信号により賞球の払い出し処理等が行われる。
【００６０】
遊技盤１１の組み立てに際しては、先ず裏構造体１７側の装着部１７ｂに画像表示手段２２の表示手段本体３８を、装着部１７ｃに複合入賞手段２４の入賞手段本体５６を夫々装着する。また裏構造体１７の前側に発光演出手段４５、可動演出手段４６，４７を、裏側に各種の制御基板を夫々装着し、表示手段本体３８の画像表示部４０、入賞手段本体５６の検出スイッチ６７，６８，７２及び開閉駆動手段６６，７１、更には発光演出手段４５、可動演出手段４６，４７等の電気部品をハーネスを介して制御基板等に接続する。
【００６１】
次に裏構造体１７の取り付け部１８を遊技盤１１に固定された補強部材１６の裏面に固定する。このとき裏構造体１７は位置決め手段により遊技盤１１に対して位置決めする。そして、裏構造体１７の固定が完了すれば、遊技盤１１の前側から画像表示手段２２の前飾り体３９を表示手段本体３８に、複合入賞手段２４の前飾り体５７を入賞手段本体５６に夫々対応させて、遊技盤１１の開口４２，５５を経て結合手段５４，７４により各本体３８，５６に結合する。このとき各前飾り体３９，５７は、遊技盤１１に対して位置決め手段を介して所定位置に位置決めし、また遊技盤１１の前面に当接して固定する。
【００６２】
複合入賞手段２４の前飾り体５７を入賞手段本体５６に結合する場合には、口枠体７３の第１飾り部７９を前飾り体５７の第１前飾り部７６に形成された第１開口部７６ａに、口枠体７３の第２飾り部８０を前飾り体５７の第２前飾り部７７に形成された第２開口部７７ａに夫々対応させて、前飾り体５７の各開口部７６ａ，７７ａに口枠体７３の各飾り部７９，８０を嵌め込み、その後に前飾り体５７を入賞手段本体５６に結合すれば良い。これによって口枠体７３の周辺を前飾り体５７で覆うことができる。
【００６３】
この実施形態では、次のような利点がある。複合入賞手段２４は遊技盤１１の裏側の入賞手段本体５６と遊技盤１１の前側の前飾り体５７とに分けて、入賞手段本体５６は遊技盤１１の裏側に配置された裏構造体１７に装着し、前飾り体５７はその入賞手段本体５６に前側から着脱自在に装着しているので、複合入賞手段２４を遊技盤１１に直接装着する場合に比較して遊技盤１１の負担を軽減することができる。
【００６４】
特に透明型の遊技盤１１の場合には、透明板の厚さを薄くして製造コストの低減を図る傾向にあるが、そのような場合に遊技盤１１の負担を軽減できる点で非常に効果的である。また遊技盤１１の裏側外周部に補強部材１６を設け、この補強部材１６に裏構造体１７を装着することにより、遊技盤１１の厚さを薄くしながらもその歪み等の変形を防止することができる。なお、合板製の遊技盤１１を使用する場合にも、同様にその負担を軽減できることは云うまでもない。
【００６５】
また画像表示手段２２も複合入賞手段２４と同様に、遊技盤１１の裏側の表示手段本体３８と遊技盤１１の前側の前飾り体３９とに分けて、表示手段本体３８は遊技盤１１の裏側の裏構造体１７に装着し、前飾り体３９はその表示手段本体３８に前側から着脱自在に装着しているため、画像表示手段２２側においても遊技盤１１の負担を軽減することができる。
【００６６】
しかも、画像表示手段２２は画像表示部４０を、複合入賞手段２４は検出スイッチ６７，６８，７２、開閉駆動手段６６，７１を夫々有するが、その画像表示部４０は表示手段本体３８に、検出スイッチ６７，６８，７２、開閉駆動手段６６，７１は入賞手段本体５６に夫々設けているので、裏構造体１７側で予めハーネスを接続した状態で遊技盤１１に装着することが可能であり、組立て時の作業性が向上する利点がある。
【００６７】
更に画像表示手段２２、複合入賞手段２４の電気部品を表示手段本体３８、入賞手段本体５６側に設けることにより、その各前飾り体３９，５７側に電気部品を設ける必要がなくなり、前飾り体３９，５７を成型品で容易に構成することができる。従って、画像表示手段２２、複合入賞手段２４の前飾り体３９，５７をその機種に専用の専用部品とし、表示手段本体３８、入賞手段本体５６を複数種類の機種の共通の汎用部品とする等によって、遊技盤１１全体の製造コストの低減を図ることができる。
【００６８】
画像表示手段２２、複合入賞手段２４の前飾り体３９，５７は裏構造体１７側の表示手段本体３８、入賞手段本体５６に装着しているが、遊技盤１１の前側から表示手段本体３８、入賞手段本体５６に対して取り付けるため、表示手段本体３８、入賞手段本体５６を含む裏構造体１７を遊技盤１１の裏側に取り付けた後であれば、前飾り体３９，５７を表示手段本体３８、入賞手段本体５６に容易に装着することができる。
【００６９】
また画像表示手段２２の前飾り体３９と表示手段本体３８、及び複合入賞手段２４の前飾り体５７と入賞手段本体５６は、夫々位置決め手段により位置決めしているため、表示手段本体３８及び入賞手段本体５６に対して各前飾り体３９，５７が上下方向、左右方向等に位置ずれする等の問題も未然に防止することができる。同様に画像表示手段２２、複合入賞手段２４の前飾り体３９，５７は位置決め手段により遊技盤１１に対して位置決めするため、裏構造体１７側の表示手段本体３８、入賞手段本体５６に装着しているにも拘わらず、遊技盤１１側の装着位置に対する前飾り体３９，５７の位置ずれを防止できる。
【００７０】
また画像表示手段２２、複合入賞手段２４の前飾り体３９，５７は遊技盤１１の前面に当接した状態で裏構造体１７に固定しているため、遊技盤１１と前飾り体３９，５７との接触部分での微振動による騒音の発生等も少なくすることができる。
【００７１】
図１６〜図１８は本説明の第２の実施形態を例示する。この実施形態では、図１６に示すように、画像表示手段２２の前飾り体３９の一部、例えば左上部に対応して開閉入賞手段１００が設けられている。
【００７２】
この開閉入賞手段１００は、図１７、図１８に示すように、画像表示手段２２の前飾り体３９の一部を利用して一体に設けられた前飾り体１０１と、この前飾り体１０１の裏側に配置された入賞手段本体５６とを有する。画像表示手段２２の前飾り体３９は、第１の実施形態と同様に裏構造体１７に前側から装着されており、その前飾り部３９ａが遊技盤１１の前面に当接している。
【００７３】
開閉入賞手段１００の前飾り体１０１は、前飾り体３９の外周壁３９ｃと一体に形成された底面部１０１ａ及び案内部１０１ｂと、前飾り体３９の前飾り部３９ａと一体に形成された前面部１０１ｃと、前飾り体３９の当接壁３９ｄと一体に形成された当接部１０１ｄとを有し、入賞手段本体５６の入賞口１０２に対応して遊技盤１１の前面に当接している。
【００７４】
入賞手段本体５６は前面に開口する入賞口１０２を有する入賞ケース１０３と、入賞ケース１０３に前後方向の支軸１０４を介して開閉自在に枢支された開閉翼１０５と、入賞ケース１０３内に固定され且つアーム１０６を介して開閉翼１０５を開閉駆動する開閉駆動手段１０７と、入賞口１０２に入賞した遊技球を検出する検出スイッチ（図示省略）とを備え、裏構造体１７の装着部１０８に着脱自在に装着されている。
【００７５】
入賞ケース１０３は上部側に遊技盤１１の開口１１０内に突出する突出部１０９を有し、その突出部１０９の前端に入賞口１０２が設けられている。突出部１０９の前端は前飾り体１０１の当接部１０１ｄの開口１０１ｅの裏側に対応している。
【００７６】
開閉翼１０５は前飾り体１０１の案内部１０１ｂとの間で入賞口１０２を開閉するもので、突出部１０９の前側に配置され、通常は上端が案内部１０１ｂの上部に当接又は近接して入賞口１０２を閉じている。入賞口１０２は入賞ケース１０３内の縦方向の球通路１１１に連通し、球通路１１１は入賞口１０２に入賞した遊技球を下方の回収側へと案内するようになっている。他の構成は第１の実施形態と同様である。
【００７７】
この開閉入賞手段１００は、所定の遊技状態になれば開閉駆動手段１０７により開閉翼１０５が支軸１０４廻りに回動して入賞口１０２を開放する。そして、入賞口１０２に所定数の遊技球が入賞するか、または開放から所定時間が経過すると、開閉翼１０５が逆方向に回動して入賞口１０２を閉じる。なお、開閉翼１０５は複数回開閉動作するようにしても良い。
【００７８】
このような構成の開閉入賞手段１００の場合にも、表示手段本体３８及び入賞手段本体５６を有する裏構造体１７を遊技盤１１の裏側に装着し、その後に画像表示手段２２の前飾り体３９を裏構造体１７に取り付けることにより、開閉入賞手段１００の前飾り体１０１を入賞手段本体５６に対応して配置することができ、第１の実施形態と同様の効果を得ることができる。
【００７９】
なお、この実施形態では、開閉入賞手段１００の前飾り体３９を画像表示手段２２の前飾り体１０１に一体に設けて、画像表示手段２２の前飾り体３９を介して開閉入賞手段１００の前飾り体１０１を入賞手段本体５６に結合している。しかし、開閉入賞手段１００の前飾り体３９と入賞手段本体５６とを直接結合するようにしても良い。その場合には、入賞手段本体５６の前飾り体１０１は開閉入賞手段１００の前飾り体３９から分離すれば良い。
【００８０】
図１９、図２０は本説明の第３の実施形態を例示する。この実施形態の開閉入賞手段１００は、図１９、図２０に示すように、裏構造体１７側に装着された入賞手段本体５６と、遊技盤１１の前側に配置された前飾り体１０１とを有する。入賞手段本体５６は前側に横長状に開口する入賞口１０２が形成された入賞ケース１０３と、下部側が横方向の支軸１１３により入賞ケース１０３に枢支され且つ入賞口１０２を開閉する開閉扉１１４と、開閉扉１１４を開閉駆動する開閉駆動手段１０７と、入賞口１０２に入賞した遊技球を下方の回収側へと案内する球通路１１１と、入賞口１０２に入賞した遊技球を検出する検出スイッチ（図示省略）とを備え、前部側が遊技盤１１の開口１１０に裏側から挿入されている。開閉扉１１４は所定の遊技状態のときに前側に開放して、上側から落下する遊技球を入賞口１０２へと案内するようになっている。
【００８１】
前飾り体１０１は遊技盤１１の前面に当接して入賞ケース１０３の前端側の外周を覆う板状であって、画像表示手段２２の前飾り体３９に一体に形成されている。この前飾り体１０１には入賞ケース１０３に対応する開口１１６が形成され、この開口１１６に入賞ケース１０３の前端部が裏側から挿入されている。他の構成は第１又は第２の実施形態と同様である。
【００８２】
このように開閉入賞手段１００は、開閉扉１１４が横方向の支軸１１３廻りに回動して入賞口１０２を開閉するようにしたものであっても良い。またこの実施形態の場合にも、開閉入賞手段１００の前飾り体１０１を画像表示手段２２の前飾り体３９に一体に設けて、画像表示手段２２の前飾り体３９を介して開閉入賞手段１００の前飾り体１０１を入賞手段本体５６に結合しているが、開閉入賞手段１００の前飾り体１０１と入賞手段本体５６とを直接結合するようにしても良い。
【００８３】
図２１、図２２は本説明の第４の実施形態を例示する。この実施形態では、裏構造体１７の外周部に、遊技盤１１の裏側に当接する補強枠部１１８と、この補強枠部１１８の外周から前側に屈曲する保護部１１９とが一体に設けられている。裏構造体１７にはその前側で画像表示部４０の外周側に発光演出手段４５が設けられている。発光演出手段４５は装飾体（又は演出体）４５ｄと、発光基板４５ａに装着された発光素子４５ｂとを有し、所定の遊技状態になったときに発光して装飾体４５ｄに裏側から光を当てて演出するようになっている。
【００８４】
補強枠部１１８は裏板部１１８ａと、遊技領域の外周側で裏板部１１８ａから前側に突出する周壁部１１８ｂと、保護部１１９と周壁部１１８ｂとの間に縦横に形成された補強リブ１１８ｃと、補強リブ１１８ｃの交差部に設けられた筒状の取り付け部１１８ｄとを一体に備え、取り付け部１１８ｄから挿通されたネジ１１８ｅにより遊技盤１１の裏面に着脱自在に装着されている。取り付け部１１８ｄ、ネジ１１８ｅは周方向に複数個配置されている。遊技盤１１は保護部１１９内に配置され、外周から保護部１１９により保護されている。保護部１１９は遊技盤１１の略全周を取り囲む周壁状に構成されている。他の構成は第１の実施形態と同様である。
【００８５】
このように裏構造体１７の外周に補強枠部１１８を一体に設けて、この補強枠部１１８を介して裏構造体１７を遊技盤１１に装着しても良く、この場合には遊技盤１１に対して裏構造体１７及び補強枠部１１８を同時に装着できる利点がある。また補強枠部１１８に保護部１１９を設けて、この保護部１１９により遊技盤１１を外周側から保護するようにしても良い。
【００８６】
以上、本発明の各実施形態について詳述したが、本発明はこの各実施形態に限定されるものではなく、本発明の趣旨を逸脱しない範囲で種々の変更が可能である。例えば、実施形態では、遊技役物として画像表示手段２２、複合入賞手段２４、開閉入賞手段１００等を例示しているが、これら以外のものでも同様に実施可能である。また複合入賞手段２４は特別図柄始動手段３３と可変入賞手段３５とを複合化したものの他、普通入賞手段２５と可変入賞手段３５とを複合化したものでも良い。普通入賞手段２５は複合入賞手段２４と同様に裏構造体１７側の入賞手段本体５６に装着するようにしても良い。
【００８７】
第１の実施形態の画像表示手段２２は、表示手段本体３８と前飾り体３９とに分けて、表示手段本体３８を裏構造体１７に、前飾り体３９を遊技盤１１の前側から裏構造体１７に夫々装着するようにする一方、その前飾り体３９には電気部品を備えない構成としている。しかし、画像表示手段２２の前飾り体３９に発光演出手段４５、可動演出手段４６，４７の一方又は両方を設けて、この前飾り体３９を裏構造体１７又は表示手段本体３８に装着しても良い。
【００８８】
遊技盤１１は透明型の他、合板製、その他の不透明型でも良い。また実施形態では、透明型の遊技盤１１を示し、その厚さを遊技盤装着部４ａの装着寸法の略半分程度にしているが、遊技盤装着部４ａの装着寸法と略同一のものでも良い。また遊技盤１１の外周側に補強部材１６を設ける場合、その補強部材１６は遊技盤１１の前面側に設けてもよいし、他の構造の補強部材１６を設けるようにしても良い。
【００８９】
また遊技役物の役物本体３８，５６と、遊技盤１１の前側に配置されて役物本体３８，５６に前側から装着される前飾り体３９，５７との間には、前飾り体３９，５７と役物本体３８，５６との結合部分を相対的に案内する案内手段を設けることが望ましい。
【００９０】
更に遊技領域２０内の遊技盤１１の裏側部分、例えば裏構造体１７、複合入賞手段２４の裏ケース５９、画像表示手段２２の画像表示部４０の外周部分、退避位置の可動演出手段４６，４７等は、遊技盤１１の裏側に配置された発光演出手段４５等で前側から覆い、遊技盤１１の前面から透視できないようにすることが望ましい。なお、遊技盤１１の裏面に装着された装飾シートにより、それらの透視を遮るようにしても良い。更に実施形態ではパチンコ機について例示しているが、パチンコ機に限らず、アレンジボール機、雀球機等の各種の弾球遊技機においても同様に実施可能である。
【符号の説明】
【００９１】
１１  遊技盤
１７  裏構造体
２０  遊技領域
２２  画像表示手段
２４  複合入賞手段
３１，３２，３４  入賞口
３８  表示手段本体（役物本体）
３９  前飾り体
４０  画像表示部
５０  開閉翼（開閉手段）
５１  開閉扉（開閉手段）
５６  入賞手段本体（役物本体）
５７  前飾り体
６７，６８，７２  検出スイッチ
【図１】
0005800840.tif 000002
【図２】
0005800840.tif 000003
【図３】
0005800840.tif 000004
【図４】
0005800840.tif 000005
【図５】
0005800840.tif 000006
【図６】
0005800840.tif 000007
【図７】
0005800840.tif 000008
【図８】
0005800840.tif 000009
【図９】
0005800840.tif 000010
【図１０】
0005800840.tif 000011
【図１１】
0005800840.tif 000012
【図１２】
0005800840.tif 000013
【図１３】
0005800840.tif 000014
【図１４】
0005800840.tif 000015
【図１５】
0005800840.tif 000016
【図１６】
0005800840.tif 000017
【図１７】
0005800840.tif 000018
【図１８】
0005800840.tif 000019
【図１９】
0005800840.tif 000020
【図２０】
0005800840.tif 000021
【図２１】
0005800840.tif 000022
【図２２】
0005800840.tif 000023